(57)【要約】  落射蛍光測定用の光学フローサイトメータ。  本発明は、血液細胞特性評価用の光学フローサイトメータ（１）において−血液細胞流れを提供するフローセル（３）と、−フローセル（３）内を流れる血液細胞を照射する少なくとも一つの発光ダイオード（９）と、−同じ第１レンズ群（１３）を使用して血液細胞流れに励起光（８、４）を集束し、各血液細胞から来る蛍光を集光する落射蛍光モジュール（２）、および第１レンズ群（１３）から来る落射蛍光を検出する一体型光検出器（１４）と、−光散乱測定モジュール（５、１９、２４、２５、２６）、軸方向光損失測定モジュール（５、１９、２０、２３、２２）、および粒子インピーダンス測定モジュール（２８、２９、３４、３５）のうち少なくとも一つと  を備える光学フローサイトメータに関する。
2021503608.tif 000002
【特許請求の範囲】
【請求項１】
血液細胞特性評価用の光学フローサイトメータ（１）であって、
血液細胞流れを提供するフローセル（３）と、
前記フローセル（３）内を流れる血液細胞を照射する少なくとも一つの発光ダイオード（９）と、
同じ第１レンズ群（１３）を使用して前記血液細胞流れに励起光（８、４）を集束し、各血液細胞から来る蛍光を集光する落射蛍光モジュール（２）、および前記第１レンズ群（１３）から来る落射蛍光を検出する一体型光検出器（１４）と、
光散乱測定モジュール（５、１９、２４、２５、２６）、軸方向光損失測定モジュール（５、１９、２０、２３、２２）、粒子インピーダンス測定モジュール（２８、２９、３４、３５）のうち少なくとも一つと
を備える光学フローサイトメータ。
【請求項２】
前記光散乱測定モジュール（５、１９、２４、２５、２６）が、前記フローセル（３）から放射される光を集光する第２レンズ群（１９）と、前記第２レンズ群（１９）から来る散乱光を検出する一体型光検出器（２６）を含む少なくとも一つの散乱検出チャネル（２４、２５、２６）とを備えることを特徴とする、請求項１に記載の光学フローサイトメータ。
【請求項３】
前記軸方向光損失測定モジュール（５、１９、２０、２３、２２）が、前記フローセル（３）から放射される光を集光する第２レンズ群（１９）と、前記第２レンズ群（１９）から来る散乱光を検出する一体型光検出器（２２）を含む少なくとも一つの軸方向光検出チャネル（２０、２３、２２）とを備え、前記光学フローサイトメータが前記光散乱測定モジュールも含む場合に同じ第２レンズ群（１９）を備えることを特徴とする、請求項１または２に記載の光学フローサイトメータ。
【請求項４】
前記第１レンズ群（１３）が、前記フローセル（３）に対して前記第２レンズ群（１９）の反対側に配置されていることを特徴とする、請求項２または３に記載の光学フローサイトメータ。
【請求項５】
前記第１レンズ群（１３）は、前記発光ダイオード（９）により放射される光を、前記フローセル（３）内の好ましくは１１０μｍ×３０μｍの光学検査区域に成形および集束するように設計されていることを特徴とする、請求項１〜４のいずれか一項に記載の光学フローサイトメータ。
【請求項６】
前記発光ダイオード（９）が、７００ｎｍ未満のピーク波長を有することを特徴とする、請求項１〜５のいずれか一項に記載の光学フローサイトメータ。
【請求項７】
前記散乱検出チャネルが、少なくとも一つの方向に沿って光を選択する絞り（２４）を備えることを特徴とする、請求項２に記載の光学フローサイトメータ。
【請求項８】
前記第２レンズ群（１９）が、照射ビーム発散に対して角度５度および／または５〜２０度に含まれる角度で前記血液細胞流れにより散乱される前方散乱光を集光するように設計されていることを特徴とする、請求項７に記載の光学フローサイトメータ。
【請求項９】
前記発光ダイオード（９）により放射される光に対して蛍光を分離するダイクロイックミラー（１２）を備えることを特徴とする、請求項１〜８のいずれか一項に記載の光学フローサイトメータ。
【請求項１０】
前記第１レンズ群（１３）および前記第２レンズ群（１９）が少なくとも一つの非球面を含むことを特徴とする、請求項２〜９のいずれか一項に記載の光学フローサイトメータ。
【請求項１１】
前記第１レンズ群（１３）が、前記発光ダイオードにより放射される光（８）を集束し、少なくとも０．１ステラジアンの立体角に沿って、好ましくは１．１ステラジアンの立体角に沿って落射蛍光を集光することを特徴とする請求項１〜１０のいずれか一項に記載の光学フローサイトメータ。
【請求項１２】
前記第２レンズ群（１９）が、前記第１レンズ群（１３）の開口数より大きな開口数を有することを特徴とする、請求項２〜１１のいずれか一項に記載の光学フローサイトメータ。
【請求項１３】
前記フローセル（３）が、流体力学的集束、または受動シースもしくはシース無しの技術に従って前記血液細胞流れを生成するように構成されていることを特徴とする、請求項１〜１２のいずれか一項に記載の光学フローサイトメータ。
【請求項１４】
前記粒子インピーダンス測定モジュールが、コールター原理により循環血液細胞のインピーダンスを測定するために前記フローセルに電気検知区域を作製する二つの電極を備えることを特徴とする、請求項１〜１３のいずれか一項に記載の光学フローサイトメータ。
【発明の詳細な説明】
【技術分野】
【０００１】
本発明は、血液細胞流れに蛍光を当てることによる血液細胞特性評価用の光学フローサイトメータに関する。本発明は、液体媒体に浮遊している粒子の計数および特性評価のための自動装置の分野に関し、より具体的には、血液サンプルに含まれる様々なタイプの細胞を計数および特性評価する血液機器の分野に関する。
【０００２】
このように、最新技術および提案する発明は、例えば、血液サンプルに含まれる白血球の数をカウントし、光散乱および蛍光に基づいて様々な亜集団内の相対的分布を測定する装置に関する。
【０００３】
既知の光学フローサイトメータにおいて、サンプルは細胞流れに集束する。集束されたレーザビームは、流れる血液細胞に対して垂直に向けられる。
【０００４】
蛍光フローサイトメータの光学機構においてレーザ光源が使用されるとすぐに、レーザ光の方向に対して垂直に蛍光が測定される。
【０００５】
レーザは、フローセル内部に集束されたビームを、典型的な寸法１００μｍ×３０μｍの楕円形ガウススポットに送る。
【０００６】
レーザ集束光学系に対する設計上の制約は、レーザ出力ビームの非常に特殊な性質に由来する。典型的なレーザ集束光学系は、長い焦点距離（＞１５ｍｍ）を有するため、必要とされる１００μｍ×３０μｍのスポットサイズをフローセルに得ることができる。ほとんどのレーザ集束光学系はまた、出力ビームの円形プロファイルを、フローサイトメトリ測定にさらに適した楕円形のものに変更する一または複数の円柱レンズも有する。
【０００７】
焦点距離が短いレーザ集束光学系を使用すると、出力ビームを、集束光学系に入る前にもう一度処理する必要がある。
【０００８】
さらに、焦点距離が長い光学系を使用して蛍光を集光することは実際にはできない。この種の光学系は高い開口数を必要とする。長い焦点距離を使用すると、現実的ではない極めて大きなレンズ径を伴うことになる。
【０００９】
そのため、レーザビームを１００μｍ×３０μｍの楕円形スポットに集束すること、および高開口数（ＮＡ）で蛍光を集光することの両方を良好に実行する光学系を設計することはできない。
【００１０】
そのため、すべてのレーザ使用型蛍光フローサイトメトリ機構は、レーザ励起ビームを集束し、蛍光を集光するために異なるレンズに依拠する。
【００１１】
これが、レーザ使用型蛍光フローサイトメトリ機構において、蛍光が常に励起ビームに対して垂直な方向に沿って集光される理由である。
【００１２】
結果として、蛍光検出を備えたレーザフローサイトメトリのすべての機構は、フローセルの三つの異なる壁の近くに三つのレンズを伴う。この場合、フローセルの三つの異なる壁に沿ってすべての光学系を固定するスペースがほとんどないため、構造設計は極めて困難になる。
【００１３】
既知の文書である米国特許出願第２００９／００６８７２６号明細書は、励起軸に対して９０度に配置された蛍光測定用のレンズ群を備えるシステムを記載している。
【００１４】
光学機構が二つの異なる光源を含む場合、落射蛍光および粒子散乱が容易に測定されることはよく知られている。通常、粒子散乱測定にはレーザが使用され、落射蛍光測定には追加の拡張型光源（一般にはアークランプ）が使用される。散乱光検出器に衝突する光線は、レーザ光源から発生する。落射蛍光測定のため、サンプルはアークランプ光源により励起される。
【００１５】
この種の機構については、文書「シングルアークランプおよび分散エレメントを使用したフローサイトメトリにおける多波長照射」サイトメトリＡ、第８巻、４４５〜４５２頁（１９８７）に記載されている。この種のハイブリッド機構は、非常に異なる二つの光源が使用されるため、極めて高価である。各光源は、独自の集束光学系および独自の光検出器を有する。この種の機構の複雑さは、そのようなシステムの設計、製造、および調整に関して言えば制限要因である。この複雑な機構を、ルーチン分析装置用の頑丈な産業用変換器に変えることは極めて困難である。
【００１６】
本発明の目的は、蛍光測定および散乱測定を実行するコンパクトな光学フローサイトメータを提案することである。
【００１７】
本発明の別の目的は、頑丈な光学フローサイトメータを提案することである。
【００１８】
上記の目的のうち少なくとも一つは、血液細胞特性評価用の光学フローサイトメータにおいて、
−血液細胞流れを提供するフローセルと、
−フローセル内を流れる血液細胞を照射する少なくとも一つの発光ダイオードと、
−同じ第１レンズ群を使用して血液細胞流れに励起光を集束し、各血液細胞から来る蛍光を集光する落射蛍光モジュール、および第１レンズ群から来る落射蛍光を検出する第１一体型光検出器と、
−光散乱測定モジュール、軸方向光損失測定モジュール、および粒子インピーダンス測定モジュールのうち少なくとも一つと
を備える光学フローサイトメータを用いて実現される。
【００１９】
本発明に係る光学フローサイトメータは、細胞の分析を可能にするために、落射蛍光検出を実行できるサイトメータと、測定モジュールとを提供する。
【００２０】
本発明によれば、光散乱測定モジュールは、フローセルから放射される光を集光する第２レンズ群と、第２レンズ群から来る散乱光を検出する一体型光検出器を含む少なくとも一つの散乱検出チャネルとを備えてもよい。
【００２１】
例えば、軸方向光損失測定モジュールは、フローセルから放射される光を集光する第２レンズ群と、第２レンズ群から来る散乱光を検出する一体型光検出器を含む少なくとも一つの軸方向光検出チャネルとを備えてもよく、また光学フローサイトメータが光散乱測定モジュールも含む場合に同じ第２レンズ群を備えてもよい。
【００２２】
本発明に係る光学フローサイトメータは、落射蛍光および散乱の測定が同じ光源から実行されるため、根本的に異なる。
【００２３】
同じ光源が、血液細胞蛍光励起および血液細胞散乱測定の両方に使用される。
【００２４】
現在の光学フローサイトメータは、従来技術のシステムより安価であり、はるかに頑丈であり、工業的な製造とルーチン分析装置での使用とに完全に適合する。
【００２５】
二つのレンズ群のみが、光の集束および集光に使用される。第１レンズ群は、励起光の集束および蛍光の集光に使用される。第３の９０度レンズ群は必要ない。
【００２６】
標準的な落射蛍光顕微鏡の機構とは異なり、本発明に係る光学フローサイトメータは、検査区域、フローセルを通過する際に血液細胞により散乱される光の測定を可能にする。
【００２７】
すべての標準的な落射蛍光顕微鏡システムは、一または複数のＣＣＤカメラに依拠して、検査区域の一または複数の画像を取得する。標準的な蛍光顕微鏡システムにおける血液細胞特性評価は、プロセッサユニットにおいて実行される画像処理ソフトウェアにより実行される。
【００２８】
本発明に係る光学フローサイトメータは、血液細胞特性評価が画像取得に依拠せず、粒子散乱および落射蛍光測定に依拠するため、典型的な落射蛍光顕微鏡とは根本的に異なる。これは、一体型検出器が、検出された光の強度に基づいてアナログ信号（パルス）を検出することを意味する。信号は光の大きさを表す。画像は無い。このように、処理ユニットにより実行される測定は、フローセル内を連続的に流れる各細胞に関する。
【００２９】
本発明に係る血液細胞特性評価は、多次元ドットプロットのクラスタリングに依拠してもよい。従来技術のようにカメラを使用する場合、血液細胞特性評価はカメラ画像取得からの形状認識を必要とする。
【００３０】
本発明によれば、血液細胞特性評価は、白血球、赤血球、網状赤血球、および網状血小板などの特性評価を含んでもよい。
【００３１】
したがって、本発明の光学フローサイトメータは二つのレンズ群のみを使用し、細胞流れの励起軸に対して垂直な測定は行わない。そのため、構造設計がより簡単になる場合がある。そのため、先行技術のシステムに関して、後流寸法を備えた光学フローサイトメータを作製することができる。
【００３２】
また、本発明に係る光学フローサイトメータでは、同じレンズ群が励起および蛍光集光に使用されるため、光学調整が少なくて済む。光学アライメントは、従来技術の標準的な垂直機構では三つなのに対し、二つのみが必要である。
【００３３】
ＬＥＤは非コヒーレント光源であるため、均一な強度および長方形状を有する検査区域を生成することができる。集光レンズおよび長方形の開口部を使用できる。
【００３４】
均一な強度および長方形状を有する検査区域は、流れる粒子の横方向の位置決め感度を大幅に緩和する。光パルスの特性（振幅、幅）は、検査区域の表面全体に亘って一定である。
【００３５】
従来技術の標準的なレーザフローサイトメトリ機構において、検査区域はガウス強度プロファイルを持つ楕円形である。流れる粒子の、検査区域中心からの偏向は、光パルスの振幅および幅の低下を伴う。
【００３６】
具体的には、第１レンズ群は、フローセルに対して第２レンズ群の反対側に配置されてもよい。
【００３７】
このような配置により、構造設計が簡素化される。
【００３８】
好ましくは、第１レンズ群は、発光ダイオードにより放射される光を、フローセル内の好ましくは１１０μｍ×３０μｍの光学検査区域に成形および集束するように設計してもよい。言い換えれば、ＬＥＤは、フローセル内部に集束したビームを、一つずつのセル測定に適合する寸法の均一且つ長方形の検査区域に送る。
【００３９】
好ましくは、発光ダイオードは、７００ｎｍ未満のピーク波長を有してもよい。この短波長は、血液細胞の内部構造による光散乱を強化する。それは血液細胞の亜集団間のより良い差別化につながる。
【００４０】
本発明によれば、散乱検出チャネルは、少なくとも一つの方向に沿って光を選択する絞りを備えてもよい。
【００４１】
血液細胞により前方方向に散乱される光の測定は、血液細胞の体積に関連する。この方向は励起ビームと非常に近く、通常５度未満である。この測定を実行するには、フローセルから放射される光を特定の方向に沿って集光する必要がある。
【００４２】
本発明の好ましい実施形態によれば、第２レンズ群は、照射ビーム発散に対して角度５度および／または５〜２０度に含まれる角度で血液細胞流れにより散乱される前方散乱光を集光するように設計される。
【００４３】
本発明の別の実施形態によれば、軸方向光検出チャネルは、軸方向光損失を測定する光学手段を備えてもよい。
【００４４】
軸方向光損失は、細胞がビームを通過するときにゼロ度で照射ビームから失われる総光の測定値である。
【００４５】
光学フローサイトメータは、発光ダイオードにより放射される光に対して蛍光を分離するダイクロイックミラーを備えてもよい。
【００４６】
有利には、第１レンズ群および第２レンズ群は、少なくとも一つの非球面を含んでもよい。
【００４７】
非球面レンズを使用することで、集光光学系に対する高レベルな収差補正を実現することが可能になる。
【００４８】
ＬＥＤ出力光の集光効率、およびフローセルにおける小さなスポット、例えば１００μｍ×３０μｍへの再集束は、高開口数（ＮＡ）集束光学系を用いて実現できる高度発散ビームを伴う。
【００４９】
本発明の好ましい実施形態によれば、第１レンズ群は、発光ダイオードにより放射される光を集束し、少なくとも０．１ステラジアンの立体角に沿って、好ましくは１．１ステラジアンの立体角に沿って落射蛍光を集光する。このような値は、それぞれ少なくとも０．１７、好ましくは０．５７といった高開口数に対応する。
【００５０】
本発明によれば、高開口数の第１レンズ群を使用することにより、ＬＥＤから可能な限り最大の光量を集光すること、およびフローセルから可能な限り最大量の蛍光を集光することが両方可能になる。
【００５１】
本発明の好ましい実施形態によれば、第１レンズ群は、４ｍｍ〜７ｍｍの等価焦点距離（ＥＦＬ）を持つ約１０ｍｍの直径を有してもよい。
【００５２】
本発明の好ましい実施形態によれば、第１レンズ群は約０．１までの倍率を有し、血液細胞流れは５０ｍｍ〜９０ｍｍの距離に配置されてもよい。
【００５３】
本発明の別の実施形態によれば、第２レンズ群は、少なくとも０．１ステラジアンの立体角に沿って、好ましくは１．１ステラジアンの立体角に沿って血液細胞により散乱される光を集光してもよい。
【００５４】
高開口数を有する第２レンズ群により、フローセルから可能な限り最大量の散乱光を集光することができる。
【００５５】
光が粒子により散乱される場合、それは、入射光線が粒子によりその初期方向から偏向されることを意味する。光線は、フローセルへの入射角より大きな角度でフローセルから出ることになる。好ましくは、第２レンズ群は、第１レンズ群の開口数より高い開口数を有してもよい。
【００５６】
言い換えれば、第１レンズ群は通常、θ＝３０度の半角でフローセルにビームを集束してもよい。それは、αが前方散乱角度範囲であるとして、第２レンズ群が角度θ＋αの光線を処理する必要があることを意味する。ビームがこのような高開口を有する場合、入射照射ビームと、粒子により散乱される偏向ビームとの境界を区別することは非常に困難になる。好ましくは、高レベルの収差補正をレンズ群に適用してもよい。
【００５７】
本発明の別の実施形態によれば、第２レンズ群は、第１レンズ群の直径より大きな直径を有してもよい。
【００５８】
本発明の有利な実施形態によれば、フローセルは、流体力学的集束、または受動シースもしくはシース無しの技術に従って血液細胞流れを生成するように構成されてもよい。ＬＥＤは、レーザとは異なり、受動シースまたはシース無しでも正常に機能する。
【００５９】
本発明の別の実施形態によれば、粒子インピーダンス測定モジュールは、コールター原理により循環血液細胞のインピーダンスを測定するためにフローセルに電気検知領域を作製する二つの電極を備えてもよい。
【００６０】
このインピーダンス測定は、ＤＣ電流、ＡＣ電流、またはその両方で実現できる。
【図面の簡単な説明】
【００６１】
本発明を説明する目的で、現在好ましい形態が図面に示されている。ただし本発明は、正確な配置および手段に限定されないことを理解されたい。
図１は、本発明に係る光学フローサイトメータの構成要素を示す概略図である。
図２は、光学部品の配置および光の軌跡を示す概略図である。
図３は、インピーダンス測定用の電極の配置を示す概略図である。
【００６２】
本発明には様々な修正例および代替形態が可能であるが、その特定の実施形態を図面に例示し、本明細書で詳細に説明する。ただし、図面およびその詳細な説明は、開示される具体的な形態に本発明を限定することを意図するものではなく、反対に、添付の特許請求の範囲により定義されるように、本発明の範囲内にあるすべての修正例、等価物、および代替物を本発明が網羅することを理解されたい。
【００６３】
以下、添付図面を参照して本発明の例示的な実施形態を説明することにより、本発明を詳細に説明する。図中において同様の参照番号は同様の要素を指す。
【００６４】
図１は、本発明の例示的な実施形態に係る光学フローサイトメータの構成要素を示す概略図である。
【００６５】
図１を参照すると、本発明の光学フローサイトメータ１は、フローセル３に向けて励起光を生成し、落射蛍光測定を実行するためにフローセルから来る光を集光する励起／落射蛍光モジュール２を含む。光学フローサイトメータ１は、シース液に囲まれるか、または囲まれない流れにサンプル細胞または血液細胞を駆動および集束するための起電および／または他の手段を備える。血液細胞はフローセル３内を循環する。励起／落射蛍光モジュール２により生成される集束ビーム４は、細胞流れに対して垂直に向けられ、蛍光サンプル粒子の蛍光を誘導する。血液細胞からの落射蛍光は、励起／落射蛍光モジュール２の同じレンズ群により集光される。
【００６６】
フローセル３から来る光６を集光するために、散乱測定モジュール５が設けられている。
【００６７】
落射蛍光信号の励起および検出のために励起／落射蛍光モジュール２を制御するために、プロセッサユニット７が設けられている。プロセッサユニット７はまた、直接および／または間接散乱信号を検出するために散乱測定モジュール５を制御する。
【００６８】
本発明によれば、フローセルに集束される励起光４、フローセルから直接来る落射蛍光４、およびフローセルから直接来る散乱光６は同一平面上にある。散乱測定モジュール５は、励起／落射蛍光モジュール２の反対側に配置されている。
【００６９】
図２は、光学部品の詳細な配置および光の軌跡を示す概略図である。図２を参照すると、本発明に係る光学フローサイトメータへの落射蛍光および／または散乱測定を実行するのに適した機構が示されている。励起光８は、青色またはＵＶ波長で動作する発光ダイオード（ＬＥＤ）により生成される。超高輝度ＬＥＤは、短波長、例えば７００ｎｍ未満のピーク波長で使用できる。使用できるＬＥＤ９は、連続モード、変調モード、またはパルスモードである。
【００７０】
レーザは単色の点光源であるのに対し、ＬＥＤは拡張型且つ発散型の広帯域光源である。
【００７１】
集光器１０は、ＬＥＤからの集光を最適化し、光学検査区域においてフローセルへの均一性を確保するために設けられるレンズである。例として、ＬＥＤ９は１．０ｍｍ２の発光面積を有する。励起／蛍光群に典型的なレンズ径は１０．０ｍｍである。したがって、集光器１０の有効焦点距離は、通常３．０ｍｍ〜８．０ｍｍから選択される。
【００７２】
集光器１０はＬＥＤ９の近くに配置されているため、その直径は２．０ｍｍ〜８．０ｍｍとすることができる。
【００７３】
このような集光器は、微細な収差補正を必要とせず、一つまたは二つのレンズを用いて実現できる。したがって、集光器１０は、少なくとも一つの屈折率分布型レンズ、少なくとも一つのフレネルレンズ、少なくとも一つの非球面、少なくとも一つの反射面、または少なくとも一つの回折面を備えてもよい。
【００７４】
励起光は励起フィルタ１１を通過して、ＬＥＤスペクトル（すなわち励起光スペクトル）を短くし、蛍光との重複が確実に起きないようにする。
【００７５】
ダイクロイックミラー１２は励起光軸上に配置されている。このダイクロイックミラー１２の特性は、ＬＥＤ９からの励起光がフローセル３に向かって反射される一方で、フローセル３からの落射蛍光は透過されるように選択される。
【００７６】
次いで励起光は、励起光をスポットまたは光学検査区域として細胞流れに集束することを目的とする第１レンズ群１３に向けられる。
【００７７】
第１レンズ群はまた、サンプルからの落射蛍光を蛍光一体型光検出器１４に集光および集束することも目的としている。蛍光信号を誘発および検出できるようにするために、第１レンズ群は、少なくとも０．１ステラジアン、すなわち０．１７の開口数（ＮＡ）に沿って光を集束および集光する。１．１ステラジアンの立体角（ＮＡ＝０．５７）を使用すると、検出された蛍光信号対ノイズ比が改善され、設計の複雑さが中程度になる。
【００７８】
典型的なレンズ径は約１０．０ｍｍであり、これは、この第１レンズ群１３が４．０ｍｍ〜７．０ｍｍの等価焦点距離（ＥＦＬ）を有することを意味する。
【００７９】
第１レンズ群は、フローセル内の光学検査区域が小さな寸法を有することができるようにする倍率を提供する。倍率は例えばγ＝−０．１であり、これは、選択されたＥＦＬに応じて、対象である細胞が第１レンズ群の第１主面から５０．０ｍｍ〜９０ｍｍｍに配置されるべきであることを意味する。この場合、第１レンズ群の第２主面から約４．０ｍｍ〜８．０ｍｍに画像が形成される。これは、標準的なフローセルに必要なスペースと完全に適合する。
【００８０】
選択された開口数に応じて、第１レンズ群１３は１〜４個のレンズを含むことができる。図２の実施形態は、二つのレンズ１５および１６の例を示す。
【００８１】
レンズは、単レンズ、接合二重レンズ、または接合三重レンズにすることができる。
【００８２】
したがって、第１レンズ群１３は、少なくとも一つの屈折率分布型レンズ、少なくとも一つのフレネルレンズ、少なくとも一つの非球面、少なくとも一つの反射面、または少なくとも一つの回折面を備えてもよい。前記レンズの組み合わせが考慮されてもよい。
【００８３】
第１レンズ群１３の出力において、光４は、フローセル内部の流れに対して光学検査区域として高度に集束される。
【００８４】
血液細胞からの蛍光は、同じ第１レンズ群１３により集光される。励起光および落射蛍光は反対方向に伝播する。
【００８５】
次いで落射蛍光はダイクロイックミラー１２を通過し、ダイクロイックミラー１２は、落射蛍光１７を蛍光フィルタ１８を介して一体型光検出器１４に向けて前方に透過する。
【００８６】
蛍光フィルタ１８は、測定された落射蛍光から残留青色迷光または後方散乱光を除去する。
【００８７】
好ましい機構は、一体型（単一ピクセル）光検出器に基づく。
【００８８】
一体型光検出器は、各血液細胞などから放出される蛍光の強度に比例したアナログ信号を生成する。アナログ信号は次いで、蛍光測定用の処理ユニットに転送される。
【００８９】
光源はＬＥＤ（レーザではない）であるため、フローセル３内の検査区域で完全に均一な光強度を実現するのは非常に簡単である。このため、特性評価されるべき血液細胞を運ぶ流れの直径を制限することはもはや必須ではない。
【００９０】
標準的なフローサイトメトリ機構は、流体力学的集束を持つフローセルを必要とするため、提案する光学機構は、流体力学的集束、受動シース、またはシース無しといったすべてのタイプのフローセルで正常に機能する。
【００９１】
第２レンズ群１９は、フローセル３に対して第１レンズ群１３の反対側に、同じ光軸に設けられている。第２レンズ群１９は、細胞により透過および散乱される光６を集光する。検出される散乱光は、血液細胞特性評価に役立つ情報を提供するため、有用である。
【００９２】
この第２レンズ群１９に対する制約は、第１レンズ群１３に対する制約とかなり類似している。散乱光を検出するために、開口数のみが少し増加している。レンズ群をフローセルに近づけすぎることは機械的に難しいため、僅かに大きなレンズ径を使用することが好ましい。典型的なレンズ径は約１１．０ｍｍである。
【００９３】
第２レンズ群１９は、フローセルから放射される光ビームをコリメートまたは集束することができる。
【００９４】
複数の測定（すなわち、複数の散乱角または軸方向光損失）が実行される場合、コリメートされたビームを有することが好ましい。これにより、一または複数のビーム分割部品に対して十分なスペースが確保されることになる。
【００９５】
単一の測定が実行される場合、散乱レンズ群は、一体型光検出器にビームを直接集束することができる。
【００９６】
選択された開口数に応じて、第２レンズ群１９は１〜４個のレンズを含むことができる。図２の実施形態は、二つのレンズ２６および２７の例を示す。
【００９７】
これらのレンズは、単レンズ、接合二重レンズ、または接合三重レンズにすることができる。
【００９８】
したがって、第２レンズ群１９は、少なくとも一つの屈折率分布型レンズ、少なくとも一つのフレネルレンズ、少なくとも一つの非球面、少なくとも一つの反射面、または少なくとも一つの回折面を備えてもよい。前記レンズの組み合わせが考慮されてもよい。
【００９９】
図２の実施形態は、例えば前方散乱測定および軸方向光損失測定という二つの測定を可能にする単一のビームスプリッタを備える。
【０１００】
軸方向光損失測定のために、散乱光２１の一部を集束レンズ２３を介して一体型光検出器２２に向けるビームスプリッタ２０が設けられている。
【０１０１】
前方散乱測定のため、ビームスプリッタ２０を直接通過する光２１は、特定の角度、例えば低角または中角でのみ散乱された光を透過することを目的とした散乱ストップまたは絞り２４に向けられる。散乱ストップ２４を通過する光を一体型光検出器２６に向けるために、集束レンズ２５が設けられている。
【０１０２】
ビームスプリッタにより、集光されたビームから複数の散乱（または光損失）測定を実行することができる。三つ以上の測定値を取得するために、複数のビームスプリッタを考慮することができる。
【０１０３】
ビームスプリッタは、特定の半反射コーティングに依拠するか、またはコーティングされていない光透過性材料によるフレネル損失に依拠することができる。
【０１０４】
追加の直角光学系を使用して、励起ビームに対して垂直に散乱する光を測定することもできる。
【０１０５】
図３を参照すると、フローサイトメータは、例えばシース液３２に囲まれた細胞流れ３１に集束されたサンプルを持つフローセル３０を備える。集束されたＬＥＤ光４は、細胞流れに対して垂直に向けられ、細胞に光が当たるのに応じて蛍光を誘導する。散乱光６は、提供される場合、第２レンズ群１９により集光される。
【０１０６】
フローセル３０はまた、セルまたは粒子が通過するように意図された狭窄部３３を備えることもできる。好ましくは、狭窄部３３は細胞流れ３１の軸内にある。励起光４は、細胞流れ３１に対して垂直に、狭窄部３３を介してフローセルを横断するように配置されている。
【０１０７】
図３に描かれた例において、粒子インピーダンス測定を目的とする場合、狭窄部３３が設けられる。さもなければ、フローセルは狭窄部を備えなくてもよい。
【０１０８】
狭窄部３３がある場合、フローセル３０の二つの部分、すなわち狭窄部３３の各側に配置された上部および下部を画定することができる。
【０１０９】
本発明によれば、電極２８および２９は、フローセル３のそれぞれ上部および下部に設けられる。二つの電極間の流体の電気インピーダンスの変化を検出するために、電源３４および測定装置３５が設けられている。
【０１１０】
図３は、シース液を備えたフローサイトメータに基づく。ただし、本発明に係るインピーダンス測定モジュールを、受動シースまたはシース無しのフローサイトメータに含めることができる。
【０１１１】
インピーダンス測定は、フローセル内部の落射蛍光測定の光学検査区域を含むか、またはこの光学検査区域と重なる狭窄部を使用するが、インピーダンス測定は、光学検査区域の外、上流、または下流で実行してもよい。光学検査区域は、励起光ビームと粒子流れとの交点により定義されるフローセル内部の体積に対応する。また、インピーダンス測定は、軸方向光損失測定の有無にかかわらず、また光散乱測定の有無にかかわらず実行してもよい。
【０１１２】
上記の開示が完全に理解されると、多くの変形例および修正例が当業者に明らかになるであろう。以下の特許請求の範囲は、そのようなすべての変形例および修正例を包含すると解釈されることを意図している。
【図１】
2021503608.tif 000003
【図２】
2021503608.tif 000004
【図３】
2021503608.tif 000005
【手続補正書】
【提出日】令和2年9月17日(2020.9.17)
【手続補正１】
【補正対象書類名】特許請求の範囲
【補正対象項目名】全文
【補正方法】変更
【補正の内容】
【特許請求の範囲】
【請求項１】
血液細胞特性評価用の光学フローサイトメータ（１）であって、
血液細胞流れを提供するフローセル（３）と、
前記フローセル（３）内を流れる血液細胞を照射する少なくとも一つの発光ダイオード（９）と、
同じ第１レンズ群（１３）を使用して前記血液細胞流れに励起光（８、４）を集束し、各血液細胞から来る蛍光を集光する落射蛍光モジュール（２）、および前記第１レンズ群（１３）から来る落射蛍光を検出する一体型光検出器（１４）と、
光散乱測定モジュール（５、１９、２４、２５、２６）、軸方向光損失測定モジュール（５、１９、２０、２３、２２）、のうち少なくとも一つと、
を備える光学フローサイトメータであって、
前記光散乱測定モジュール（５、１９、２４、２５、２６）は、前記フローセル（３）から放射される光を集光する第２レンズ群（１９）と、前記第２レンズ群（１９）から来る散乱光を検出する一体型光検出器（２６）及び少なくとも一つの方向に沿って光を選択する絞り（２４）を含む少なくとも一つの散乱検出チャネル（２４、２５、２６）とを備え、前記第２レンズ群（１９）が、照射ビーム発散に対して５度または５度未満の角度で前記血液細胞流れにより散乱される前方散乱光を集光するように設計され、前記散乱光が血液細胞の体積に関連している、光学フローサイトメータ。
【請求項２】
前記軸方向光損失測定モジュール（５、１９、２０、２３、２２）が、前記フローセル（３）から放射される光を集光する第２レンズ群（１９）と、前記第２レンズ群（１９）から来る散乱光を検出する一体型光検出器（２２）を含む少なくとも一つの軸方向光検出チャネル（２０、２３、２２）とを備え、前記光学フローサイトメータが前記光散乱測定モジュールも含む場合に同じ第２レンズ群（１９）を備えることを特徴とする、請求項１に記載の光学フローサイトメータ。
【請求項３】
前記第１レンズ群（１３）が、前記フローセル（３）に対して前記第２レンズ群（１９）の反対側に配置されていることを特徴とする、請求項１又は２に記載の光学フローサイトメータ。
【請求項４】
前記第１レンズ群（１３）は、前記発光ダイオード（９）により放射される光を、前記フローセル（３）内の好ましくは１１０μｍ×３０μｍの光学検査区域に成形および集束するように設計されていることを特徴とする、請求項１〜３のいずれか一項に記載の光学フローサイトメータ。
【請求項５】
前記発光ダイオード（９）が、７００ｎｍ未満のピーク波長を有することを特徴とする、請求項１〜４のいずれか一項に記載の光学フローサイトメータ。
【請求項６】
前記発光ダイオード（９）により放射される光に対して蛍光を分離するダイクロイックミラー（１２）を備えることを特徴とする、請求項１〜５のいずれか一項に記載の光学フローサイトメータ。
【請求項７】
前記第１レンズ群（１３）および前記第２レンズ群（１９）が少なくとも一つの非球面を含むことを特徴とする、請求項１〜６のいずれか一項に記載の光学フローサイトメータ。
【請求項８】
前記第１レンズ群（１３）が、前記発光ダイオードにより放射される光（８）を集束し、少なくとも０．１ステラジアンの立体角に沿って、好ましくは１．１ステラジアンの立体角に沿って落射蛍光を集光することを特徴とする請求項１〜７のいずれか一項に記載の光学フローサイトメータ。
【請求項９】
前記第２レンズ群（１９）が、前記第１レンズ群（１３）の開口数より大きな開口数を有することを特徴とする、請求項１〜８のいずれか一項に記載の光学フローサイトメータ。
【請求項１０】
前記フローセル（３）が、流体力学的集束、または受動シースもしくはシース無しの技術に従って前記血液細胞流れを生成するように構成されていることを特徴とする、請求項１〜９のいずれか一項に記載の光学フローサイトメータ。
【請求項１１】
コールター原理により循環血液細胞のインピーダンスを測定するために前記フローセルに電気検知区域を作製する二つの電極を含む粒子インピーダンス測定モジュールを更に備える、請求項１〜１０のいずれか一項に記載の光学フローサイトメータ。
【手続補正２】
【補正対象書類名】明細書
【補正対象項目名】００７９
【補正方法】変更
【補正の内容】
【００７９】
第１レンズ群は、フローセル内の光学検査区域が小さな寸法を有することができるようにする倍率を提供する。倍率は例えばγ＝−０．１であり、これは、選択されたＥＦＬに応じて、対象である細胞が第１レンズ群の第１主面から５０．０ｍｍ〜９０ｍｍに配置されるべきであることを意味する。この場合、第１レンズ群の第２主面から約４．０ｍｍ〜８．０ｍｍに画像が形成される。これは、標準的なフローセルに必要なスペースと完全に適合する。
【国際調査報告】
2021503608.tif 000006
2021503608.tif 000007
2021503608.tif 000008
2021503608.tif 000009